(57)【要約】【課題】ブラインドのヘッドボックスに該ヘッドボックスを覆い隠すバランスを取り付けるためのバランスブラケットであって、ヘッドボックスの形状に依存することなく共通に使用することができるようにする。【解決手段】バランスブラケット２４は、バランス２２に固定されるブラケット本体２６と、ブラケット本体に対して上下方向に相対移動可能に装着されるスライダー２８と、スライダーと共にブラケット本体に対して上下方向に相対移動可能である一方でブラケット本体及びスライダーに対して前後方向に相対移動可能に装着されるフック部材３０と、を備える。フック部材３０は、先端が折り返されたフック部３０ｂを有している。フック部材がブラケット本体に対して前後方向で移動することにより、フック部とブラケット本体との間でヘッドボックス１２の前面側の壁面１２ｂを前後から挟持することができる。【選択図】図９
2008274673.tif 000002
【特許請求の範囲】
【請求項１】
ブラインド（１０）のヘッドボックス（１２）に該ヘッドボックス（１２）の少なくとも前面を覆い隠すバランス（２２）を取り付けるためのバランスブラケットであって、
バランス（２２）に固定されるブラケット本体（２６）と、ブラケット本体（２６）に対して前後方向に相対移動可能に装着されるフック部材（３０）と、を備え、フック部材（３０）は、先端が折り返されたフック部（３０ｂ）を有しており、
フック部（３０ｂ）はヘッドボックス（１２）の前面側の壁面（１２ｂ）の上側を越えて、その先端が該壁面の裏面に対向可能であり、
フック部材（３０）がブラケット本体（２６）に対して前後方向に移動することにより、フック部（３０ｂ）とブラケット本体（２６）との間でヘッドボックス（１２）の前面側の壁面（１２ｂ）を前後から挟持可能となったことを特徴とするバランスブラケット。
【請求項２】
さらに、ブラケット本体（２６）に対して上下方向に相対移動可能に装着されるスライダー（２８）を備えており、フック部材（３０）は、スライダー（２８）と共にブラケット本体（２６）に対して上下方向に相対移動可能である一方でブラケット本体（２６）及びスライダー（２８）に対して前後方向に相対移動可能であることを特徴とする請求項１記載のバランスブラケット。
【請求項３】
ブラケット本体（２６）には、上下方向に延びる縦溝（２６ｅ１）と該縦溝（２６ｅ１）の下端から前方へと延びる横溝（２６ｅ２）とからなる案内溝（２６ｅ）が形成されており、スライダー（２８）には、後方から前方に向かって上方に漸次傾斜した傾斜溝（２８ｄ）が形成され、フック部材（３０）には案内溝（２６ｅ）及び傾斜溝（２８ｄ）を貫通する軸部（３４）が設けられ、フック部材の軸部（３４）は、案内溝（２６ｅ）及び傾斜溝（２８ｄ）に沿って移動可能であることを特徴とする請求項２記載のバランスブラケット。
【請求項４】
ブラケット本体（２６）の下面（２６ｈ）には、ネジ（３２）の頭部（３２ａ）が上下動不能且つ回転可能に支持されるスリット（２６ｉ）が形成されており、ネジ（３２）を回転させることによって、フック部材（３０）がブラケット本体（２６）に対して相対移動することを特徴とする請求項１ないし３のいずれか１項に記載のバランスブラケット。
【発明の詳細な説明】
【技術分野】
【０００１】
本発明は、ブラインドのヘッドボックスに該ヘッドボックスの少なくとも前面を覆い隠すバランスを取り付けるためのバランスブラケットに関する。
【背景技術】
【０００２】
従来、この種のバランスブラケットとしては、特許文献１に記載されたものが知られている。該特許文献１に記載されたバランスブラケットは、ヘッドボックスに係合されると共にヘッドボックスを上方から押圧可能な押圧部を有するブラケット本体と、バランスの後面に固定されると共にヘッドボックスを下方から押圧可能な押圧部を有するブラケットガイドと、から構成され、ブラケット本体とブラケットガイドとを互いに螺着してヘッドボックスを上方及び下方から挟み付けており、これによって、バランスブラケットを介してブラケットガイドが固定されるバランスをヘッドボックスに取り付けるようになっている。ブラケット本体をヘッドボックスにネジ等の結合手段によって固定しないですむために、孔加工をヘッドボックスに施す必要がなく、作業が容易で且つ簡単にバランスをヘッドボックスに取り付けることができる。
【０００３】
また、特許文献２に記載されたブラインドのヘッドボックスカバー取付装置では、ヘッドボックスに本体を取り付け、この本体の前辺に第一の支持部材をネジ着し、バランスの裏面に第二の支持部材をネジ着して、第一の支持部材に第二の支持部材をネジで固定している。
【０００４】
【特許文献１】特開２００３−１８４４５５号公報
【特許文献２】特開平１１−３２４５３６号公報
【発明の開示】
【発明が解決しようとする課題】
【０００５】
しかしながら、特許文献１の構成では、ヘッドボックスを上方及び下方から挟み付けるために、ヘッドボックスの形状に依存することになるため、ヘッドボックスの形状に合わせたバランスブラケットをそれぞれ用意する必要があり、異なる形状のヘッドボックスからなるブラインドに共通のバランスブラケットを使うことができず、汎用性に欠けるという課題がある。
【０００６】
また、特許文献２の構成では、ヘッドボックスに第一支持部材を固定するために本体が必要になるという課題がある。
【０００７】
また、特許文献１では、ブラケットガイドがヘッドボックスの下面を覆うことになり、特許文献２では、本体がヘッドボックスの下面を覆うことになり意匠性が悪いという課題がある。
【０００８】
本発明はかかる課題に鑑みなされたもので、ヘッドボックスの形状に依存することなく共通に使用することができ、且つヘッドボックスの下面の意匠性を良好とすることができるバランスブラケットを提供することをその目的とする。
【課題を解決するための手段】
【０００９】
前述した目的を達成するために、請求項１記載の発明は、ブラインドのヘッドボックスに該ヘッドボックスの少なくとも前面を覆い隠すバランスを取り付けるためのバランスブラケットであって、
バランスに固定されるブラケット本体と、ブラケット本体に対して前後方向に相対移動可能に装着されるフック部材と、を備え、フック部材は、先端が折り返されたフック部を有しており、
フック部はヘッドボックスの前面側の壁面の上側を越えて、その先端が該壁面の裏面に対向可能であり、
フック部材がブラケット本体に対して前後方向に移動することにより、フック部とブラケット本体との間でヘッドボックスの前面側の壁面を前後から挟持可能となったことを特徴とする。
【００１０】
請求項２記載の発明は、請求項１記載のものにおいて、さらに、ブラケット本体に対して上下方向に相対移動可能に装着されるスライダーを備えており、フック部材は、スライダーと共にブラケット本体に対して上下方向に相対移動可能である一方でブラケット本体及びスライダーに対して前後方向に相対移動可能であることを特徴とする。
【００１１】
請求項３記載の発明は、請求項２記載のブラケット本体に、上下方向に延びる縦溝と該縦溝の下端から前方へと延びる横溝とからなる案内溝が形成されており、スライダーには、後方から前方に向かって上方に漸次傾斜した傾斜溝が形成され、フック部材には案内溝及び傾斜溝を貫通する軸部が設けられ、フック部材の軸部は、案内溝及び傾斜溝に沿って移動可能であることを特徴とする。
【００１２】
請求項４記載の発明は、請求項１ないし３のいずれか１項に記載のブラケット本体の下面に、ネジの頭部が上下動不能且つ回転可能に支持されるスリットが形成されており、ネジを回転させることによって、フック部材がブラケット本体に対して相対移動することを特徴とする。
【発明の効果】
【００１３】
本発明によれば、フック部とブラケット本体との間でヘッドボックスの前面側の壁面を前後から挟持することで、バランスをヘッドボックスに取り付ける。ヘッドボックスの前面側の壁面の前後は、通常のヘッドボックスで共通に挟持するのに利用することができるため、ヘッドボックスの形状・寸法に依存することなく、共通のバランスブラケットを使用することができる。また、バランスブラケットでヘッドボックスの下面を覆う必要はないため、ヘッドボックスの下面の意匠性を良好にすることができる。
【００１４】
請求項２記載の発明によれば、スライダーを備えることで、フック部材は、スライダーと共にブラケット本体に対して前後方向以外で相対移動可能である一方でブラケット本体及びスライダーに対して前後方向に相対移動可能とすることができ、フック部材がスライダーと共にブラケット本体に対して上下方向に相対移動することで、バランスの上下位置をヘッドボックスに対して適切な位置にすることができ、且つフック部材がブラケット本体及びスライダーに対して前後方向に相対位置することで、ヘッドボックスの前面側の壁面をフック部とブラケット本体とで挟持することができる。
【００１５】
請求項３記載の発明によれば、ブラケット本体の案内溝とスライダーの傾斜溝とフック部材の軸部との協働作用により、フック部材が、スライダーと共にブラケット本体に対して上下方向に相対移動可能である一方でブラケット本体及びスライダーに対して前後方向に相対移動可能とすることができる。
【００１６】
請求項４記載の発明によれば、フック部材をブラケット本体に対して相対移動させるためのネジをブラケット本体に一体的に配設することができるので、ネジを紛失する虞がなく、ネジを含めてバランスブラケットをユニット化することができる。
【発明を実施するための最良の形態】
【００１７】
以下、図面を用いて本発明の実施の形態を説明する。
図１は本発明の実施形態によるバランスブラケットによってバランスが取り付けられたブラインドの例を表す斜視図、図２はその分解斜視図である。
【００１８】
図において、１０はブラインドであり、ブラインド１０のヘッドボックス１２からはラダーコード１４によって多数のスラット１６が支持されている。このヘッドボックス１２は、ブラインド取付用ブラケット１８によって天井面等の固定取付面に取り付けられている。ヘッドボックス１２の前面には、板状のバランス２２がバランスブラケット２４によって取り付けられており、ヘッドボックス１２の前面を覆い隠している。バランスブラケット２４は、１つ以上、好ましくはヘッドボック１２の長手方向に間隔をあけて複数個使用されるとよい。
【００１９】
図３ないし図５に示したように、バランスブラケット２４は、バランス２２に固定されるブラケット本体２６と、ブラケット本体２６内に配設されてブラケット本体２６に対して上下方向に摺動可能に装着されるスライダー２８と、スライダー２８と共にブラケット本体２６に対して上下方向に相対移動可能である一方でブラケット本体２６及びスライダー２８に対して前後方向に相対移動可能に装着されるフック部材３０と、スライダー２８内に配設されたネジ３２と、を有している。
【００２０】
ブラケット本体２６は、好ましくは合成樹脂からなり、中空の直方体形状をなした本体部２６ａと、本体部２６ａの両側から延びるフランジ２６ｂと、を有している。フランジ２６ｂには、取付孔２６ｃが形成されており、該取付孔２６ｃを貫通するビスによってバランス２２の裏面に固定される。
【００２１】
本体部２６ａの両側の側面２６ｄ、２６ｄには、それぞれ案内溝２６ｅが２つずつ形成されている。各案内溝２６ｅは、上下方向に延びる縦溝２６ｅ１と、縦溝２６ｅ１の下端から前方へと延びる横溝２６ｅ２とからなるＬ字状の溝となっている。該２つの案内溝２６ｅはその横溝２６ｅ２同士が繋がっている。本体部２６ａの後面２６ｆの上端には前記フック部材３０が通過する切欠部２６ｇが形成されている。さらに、本体部２６ａの下面２６ｈには、前端から後方に向かって本体部２６ａの前後方向中央部まで延びるスリット２６ｉが形成されている。このスリット２６ｉの断面形状は、図６に示すように、ネジ３２の頭部３２ａがスリット２６ｉの下方から落下することなく前後に摺動することができる形状となっており、ネジ３２の頭部３２ａをスリット２６ｉの前端から挿入した後は、ネジ３２はスリット２６ｉによって上下動不能に且つ回転可能に支持される。
【００２２】
スライダー２８は、好ましくは合成樹脂からなり、ブラケット本体２６の本体部２６ａ内を上下に摺動可能な直方体形状をなした下部２８ａを備えており、該下部２８ａの中央部を上下に貫通するようにネジ孔２８ｂが形成されている。該ネジ孔２８ｂには、前記ネジ３２のネジ部が螺合する。また、下部２８ａからは上方に板状の一対の立設部２８ｃが形成されており、各立設部２８ｃには、後方から前方に向かって上方に漸次傾斜した傾斜溝２８ｄが２つずつ形成されている。
【００２３】
フック部材３０は、好ましくは金属からなり、水平面状を延びる水平部３０ａと、水平部３０ａの後端で折り返されたフック部３０ｂと、水平部３０ａの前部の両側から下方に垂下して、前記本体部２６ａの側面２６ｄとスライダー２８の立設部２８ｃとの間の隙間に配置される一対の垂直部３０ｃ、３０ｃと、を備えている。各垂直部３０ｃには、孔３０ｄが２つずつ形成されている。
【００２４】
フック部材３０には、それぞれの垂直部３０ｃの該当する孔３０ｄ同士を貫通する軸部としてのピン３４が設けられる。ピン３４は、前記本体部２６ａの側面２６ｄの案内溝２６ｅと、スライダー２８の立設部２８ｃの傾斜溝２８ｄとを摺動可能に貫通する。この溝２６ｅ、２８ｄとピン３４の協働作用によって、後述のようなフック部材３０のブラケット本体２６に対する規定の運動が行われる。具体的には、規定の運動として、フック部材３０は、所定の範囲でスライダー２８と共にブラケット本体２６に対して上下方向にのみ相対移動可能である一方で、その範囲の最下端から前方方向に所定の範囲で、フック部材３０はブラケット本体２６及びスライダー２８に対して前後方向に相対移動可能となっている。
【００２５】
以上のように構成されるバランスブラケット２４を用いてバランス２２をヘッドボックス１２に取り付ける手順について図７ないし図９を用いて説明する。ヘッドボックス１２は、予めブラインド取付用ブラケット１８によって天井面等の固定取付面に取り付けておく。また、ブラケット本体２６のフランジ２６ｂをビスでバランス２２の裏面に固定することにより、バランスブラケット２４はバランス２２に取り付けておく。
【００２６】
そして、図７に示すように、バランスブラケット２４のフック部材３０のフック部３０ｂをヘッドボックス１２の前面側の壁面１２ｂの上側を越えてヘッドボックス１２内部に落としこむ。フック部３０ｂは、ヘッドボックス１２の上端部に形成された鍔部１２ａを迂回してその先端がヘッドボックス１２の壁面１２ｂの裏面に対向する。このときに、スライダー２８はブラケット本体２６の比較的上部に位置づけられており、ピン３４はＬ字状の案内溝２６ｅの縦溝２６ｅ１の上部付近に位置づけられると共に傾斜溝２８ｄの後下方の部分に位置づけられている。よって、フック部３０ｂはブラケット本体２６から後方へと離れた位置にあって、ヘッドボックス１２の内部に落とし込み易い位置にある。フック部３０ｂの先端は、ヘッドボックス１２の前面側の壁面１２ｂの裏面に後方から対向する。
【００２７】
この状態からネジ３２をドライバ等の工具を用いて所定方向に回転していくと、ネジ３２はその頭部３２ａがブラケット本体２６の本体部２６ａのスリット２６ｉに上下動不能に拘束されている一方で、スライダー２８は回転することができないために、スライダー２８はブラケット本体２６に対して相対的に下降する。このとき、フック部材３０とブラケット本体２６との間では、ピン３４がブラケット本体２６に対して上下方向にしか移動できず、フック部材３０とスライダー２８との間では、ピン３４がスライダー２８に対して前後方向に移動できず相対移動は不可能となっている。ところで、フック部材３０の水平部３０ａはヘッドボックス１２の壁面の上端に載置された状態にあり、下降することはできないため、スライダー２８もヘッドボックス１２に対して下降することはできない。そのため、ブラケット本体２６及びバランス２２が相対的にヘッドボックス１２に対して上方へと移動して、図８に示すように、ヘッドボックス１２と天井との間の隙間をバランス２２が覆い隠す。
【００２８】
以上のスライダー２８のブラケット本体２６に対する相対的下降により、ピン３４はブラケット本体２６のＬ字状の案内溝２６ｅの縦溝２６ｅ１を下降する。縦溝２６ｅ１の最下端まで達してからもネジ３２の回転が継続されると、スライダー２８は引き続きブラケット本体２６に対して相対的に下降し、これによって、ピン３４は傾斜溝２８ｄを前上方へ移動すると同時に案内溝２６ｅの横溝２６ｅ２を前方へ移動する。この移動により、フック部材３０はブラケット本体２６及びスライダー２８に対して前方へと相対的に移動し、図９に示すように、フック部３０ｂの先端とブラケット本体２６の後面２６ｆとの間でヘッドボックス１２の前面側の壁面１２ｂを挟持する。これによって、ヘッドボックス１２にバランスブラケット２４が固定されて、結果としてヘッドボックス１２にバランス２２を取り付けることができる。
【００２９】
横断面で見て、フック部材３０のフック部３０ｂとブラケット本体２６の後面２６ｆとによって、ヘッドボックス１２の上端部に形成された鍔部１２ａを取り囲んでおり、フック部材３０のフック部３０ｂはヘッドボックス１２の上端部に係止するために、ヘッドボックス１２と一体的にバランスブラケット２４が固定される。しかしながら、バランスブラケット２４は、ヘッドボックス１２とバランス２２との間に配置されて、ヘッドボックス１２の下面を覆うことはないため、意匠性は良好のものとすることができる。
【００３０】
図示したヘッドボックス１２の形状・寸法は一例であり、様々なものが存在し、また、鍔部１２ａの形状・寸法も様々なものが存在するが、概ねの形状は上向きのコ字形状を有している点で共通している。よって、図１０〜図１２に示した例のように、ヘッドボックス１２の形状・寸法はどのようなものであっても、本実施形態によるバランスブラケット２４で共通にバランス２２をヘッドボックス１２に取り付けることができる。
【００３１】
ネジ３２の頭部３２ａは、ブラケット本体２６のスリット２６ｉにおいて上下動不能に且つ回転可能に支持されており、ネジ３２はブラケット本体２６と一体化されているため、ネジ３２を紛失する虞がなく、ネジ３２を含めてバランスブラケット２４をユニット化することができる。このバランスブラケット２４をバランス２２に取り付けた状態で梱包して出荷することができ、梱包開放後は、そのまま既存のブラインドのヘッドボックスに取り付けることができる。
【図面の簡単な説明】
【００３２】
【図１】本発明の実施形態によるバランスブラケットによってバランスが取り付けられたブラインドを表す斜視図である。
【図２】図１のバランスを取り外した状態の分解斜視図である。
【図３】本発明の実施形態によるバランスブラケットの斜視図である。
【図４】本発明の実施形態によるバランスブラケットの分解斜視図である。
【図５】本発明の実施形態によるバランスブラケットの分解側面図である。
【図６】図５の６−６線に沿って見た断面図である。
【図７】本発明の実施形態によるバランスブラケットによってバランスをヘッドボックスに取り付ける手順を表す断面図である。
【図８】本発明の実施形態によるバランスブラケットによってバランスをヘッドボックスに取り付ける手順を表す断面図である。
【図９】本発明の実施形態によるバランスブラケットによってバランスをヘッドボックスに取り付ける手順を表す断面図である。
【図１０】本発明の実施形態によるバランスブラケットによってバランスを他のヘッドボックスの形状に取り付けた状態を示す断面図である。
【図１１】本発明の実施形態によるバランスブラケットによってバランスを他のヘッドボックスの形状に取り付けた状態を示す断面図である。
【図１２】本発明の実施形態によるバランスブラケットによってバランスを他のヘッドボックスの形状に取り付けた状態を示す断面図である。
【符号の説明】
【００３３】
１０  ブラインド
１２  ヘッドボックス
１２ｂ  前面側の壁面
２２  バランス
２４  バランスブラケット
２６  ブラケット本体
２６ｅ  案内溝
２６ｅ１  縦溝
２６ｅ２  横溝
２６ｈ  下面
２６ｉ  スリット
２８  スライダー
２８ｄ  傾斜溝
３０  フック部材
３０ｂ  フック部
３２  ネジ
３２ａ  頭部
３４  ピン（軸部）
【図１】
2008274673.tif 000003
【図２】
2008274673.tif 000004
【図３】
2008274673.tif 000005
【図４】
2008274673.tif 000006
【図５】
2008274673.tif 000007
【図６】
2008274673.tif 000008
【図７】
2008274673.tif 000009
【図８】
2008274673.tif 000010
【図９】
2008274673.tif 000011
【図１０】
2008274673.tif 000012
【図１１】
2008274673.tif 000013
【図１２】
2008274673.tif 000014